(57)【特許請求の範囲】
【請求項１】
基板に表示パネルを設置するための係止部材を備えた表示パネル設置部材において、
該係止部材を長手方向の略中央部にのみ設けたことを特徴とする表示パネル設置部材。
【請求項２】
前記表示パネルの短手方向における長さ以下の間隔をあけて、複数の係止部材を設けたことを特徴とする請求項１に記載の表示パネル設置部材。
【請求項３】
前記係止部材を前記表示パネルを取り付ける面と反対側の面における略中央部に１つのみ備えたことを特徴とする請求項１に記載の表示パネル設置部材。
【請求項４】
前記表示パネルを取り付ける面と反対側の面における長手方向の２つの端部近傍に、弾性体により形成された足部材を設けたことを特徴とする請求項１乃至３のいずれかに記載の表示パネル設置部材。
【請求項５】
前記表示パネルは、液晶パネルであることを特徴とする請求項１乃至４のいずれかに記載の表示パネル設置部材。
【請求項６】
基板に表示パネルを設置するための表示パネル設置方法において、
表示パネルを表示パネル設置部材に固定し、該表示パネル設置部材の長手方向における略中央部にのみ設けた係止部材で、該表示パネルとともに該表示パネル設置部材を該基板に係止することを特徴とする表示パネルの設置方法。
【発明の詳細な説明】
【０００１】
【発明の属する技術分野】
本発明は、画像形成装置などの表示部を備えた装置に、表示パネルを設置するための設置部材、及び表示パネルを設置するための方法に関するものである。
【０００２】
【従来の技術】
従来から、複写機、プリンタ、ファクシミリ及びスキャナ等の画像形成装置の操作部には、操作部から入力した画像形成の条件や画像形成処理の経過・結果などを、ユーザに呈示するために表示パネルが設けられている。また、近年では、このような表示パネルとして、液晶パネルである液晶ディスプレイ（Liquid Crystal Display−以下、ＬＣＤと称する。）が多く用いられている。
【０００３】
図６は、画像形成装置である複写機の外観を示す斜視図である。図６に示すように、複写機１は、スキャナ部２、画像形成部３、給排紙部４を備える。また、スキャナ部２の正面側における上面部に操作部３７を備える。この操作部３７は、ユーザの入力指示を受け付ける入力部３９、及び操作部３７から入力した画像形成の条件や複写処理の経過・結果等を表示するための表示パネル部３８から構成されている。
【０００４】
表示パネル部３８は、複写機１とユーザとの間におけるインタフェースとしての機能を有する。また、表示パネル部３８は、画像形成装置のフレームの内側からＬＣＤユニット８０を所定の位置に固定する構成である。
【０００５】
図７は、従来のＬＣＤユニット８０の構成の一例を示す展開図である。また、図８（Ａ）は、ＬＣＤユニット８０の側面透視図、同図（Ｂ）は、基板が変形した際の状態を示すＬＣＤユニット８０の側面透視図、同図（Ｃ）は、ＬＣＤの滲みの発生箇所を示す斜視図である。また、図９は、ＬＣＤユニット８０において基板が変形した際の状態を示す斜視図である。
【０００６】
表示パネルとしてＬＣＤ４１を使用したＬＣＤユニット８０は、以下のような構成である。即ち、ＬＣＤ４１の裏面と表示パネル設置部材であるＬＣＤスペーサ８３の表面８３ａとの間に両面テープなどの粘着材４７を貼り付けて、ＬＣＤ４１はＬＣＤスペーサ８３に固着される。そして、ＬＣＤドライバなどの電子部品（不図示）が実装された専用の基板８２に、ＬＣＤスペーサ８３が係止される。
【０００７】
ＬＣＤスペーサ８３は、自身を基板８２に係止するための係止部材である設置部材８５を、ＬＣＤスペーサ８３の周縁部において、通常３〜８つ程度有している。図７に示したＬＣＤスペーサ８３では、３つの設置部材８５ａ〜８５ｃを備えている。設置部材８５ａ〜８５ｃは、ＬＣＤスペーサ８３の周縁部において、ＬＣＤスペーサ８３の表面８３ａに垂直な方向で、かつＬＣＤスぺーサ８３の表面８３ａと反対の方向に延出した延出片である。また、設置部材８５ａ〜８５ｃの先端部にはＬＣＤスペーサ８３を基板に係止するための固定爪８４ａ〜８４ｃが設けられている。さらに、固定爪８４ａ〜８４ｃの根元側に切欠き８８ａ〜８８ｃが設けられ、この切欠き８８ａ〜８８ｃによって固定爪８４ａ〜８４ｃを設置部材８５ａ〜８５ｃと垂直方向に、容易に曲げることができる。
【０００８】
基板８２は、ＬＣＤスペーサ８３に設けた設置部材８５ａ〜８５ｃの先端が対向する位置に、挿入孔８２ａ〜８２ｃを備えている。
【０００９】
ＬＣＤスペーサ８３を基板８２に固定する際には、基板８２の挿入孔８２ａ〜８２ｃに設置部材８５ａ〜８５ｃをそれぞれ挿入する。ここで、設置部材８５は、Ｔ字型の形状であり、設置部材８５ａ〜８５ｃを挿入孔８２ａ〜８２ｃに挿入した際は、基板８２とＬＣＤスペーサ８３との間に所定の間隙が形成される。
【００１０】
設置部材８５ａ〜８５ｃを挿入孔８２ａ〜８２ｃに挿入した後に、固定爪８４ａ〜８４ｃを所定の角度に折り曲げる。これにより、ＬＣＤスペーサ８３と基板８２との間に所定の間隙をおいて、ＬＣＤスペーサ８３及びＬＣＤ４１を基板８２に堅固に係止することができる。
【００１１】
【発明が解決しようとする課題】
画像形成装置では、ＬＣＤユニット８０や装置内部からの発熱や経時変化によって、基板８２がＬＣＤスペーサ８３を取り付けた面に対して凸に変形することがある。この場合、図８及び図９に示したように、画像形成装置に取り付けたＬＣＤユニット８０において、基板８２が変形すると、固定爪８４ａ〜８４ｃ間の距離である係止点間距離が変化してしまう。そのため、設置部材８５を介して変形がＬＣＤスペーサ８３に伝わる。さらにＬＣＤ４１が歪んでしまう。
【００１２】
ＬＣＤ４１は、僅かに歪んだだけでも表示領域に滲みが発生する。そのため、上記のような歪みによって、図８（Ｃ）に示したように、ＬＣＤ４１の表示部における中央に滲んだ部分が発生していた。
【００１３】
このように、従来の画像形成装置では、基板８２の変形によって、ＬＣＤ４１の表示品位が低下するという問題があった。
【００１４】
本発明は、上記の問題点を解決するために成されたものである。そして、その目的は、表示パネルを構成する基板が熱や経時変化によって変形しても、表示パネルに歪みを発生させない表示パネル設置部材及び表示パネルに設置方法を提供することである。
【００１５】
【課題を解決するための手段】
この発明は、上記の課題を解決するための手段として、以下の構成を備えている。
【００１６】
(1) 基板に表示パネルを設置するための係止部材を備えた表示パネル設置部材において、
該係止部材を長手方向の略中央部にのみ設けたことを特徴とする。
【００１７】
この構成においては、表示パネルを基板に設置するために、表示パネル設置部材の長手方向における略中央部にのみ係止部材を備えている。従来は表示パネル設置部材の各周縁部に３つ以上の係止部材を設け、これらの係止部材によって表示パネル設置部材及び表示パネルを基板に固定するようになっており、基板の変形によって係止部材間の距離である係止点間距離が、特に表示パネル設置部材の長手方向に大きく変動してしまうため、表示パネル設置部材及び表示パネルの歪みが引き起こされていた。しかし、係止部材を長手方向の中央部付近にのみ設けるようにしたので、基板の変形によって係止点間距離が変動しても、表示パネル設置部材及び表示パネルは、長手方向に歪むことがなく、表示パネルの表示品位が劣化するのを抑制することが可能となる。
【００１８】
(2) 前記表示パネルの短手方向における長さ以下の間隔をあけて、複数の係止部材を設けたことを特徴とする。
【００１９】
この構成においては、複数の係止部材を表示パネルの短手方向における長さ以下の間隔をあけて、表示パネル設置部材に設けている。したがって、係止点間距離を予め小さく設定しているので、基板が変形しても係止点間距離の変化量が小さいため、基板の変形が表示パネルに伝達して表示パネルに歪みが発生するのを抑えるようになっている。
【００２２】
(3) 前記係止部材を前記表示パネルを取り付ける面と反対側の面における略中央部に１つのみ備えたことを特徴とする。
【００２３】
この構成においては、表示パネル設置部材の略中央部に１つの係止部材を設けている。したがって、基板に変形が生じても、変化にかかる係止点間距離が存在しないため、表示パネル設置部材及び表示パネルに歪みが発生しない。
【００２４】
(4) 前記表示パネルを取り付ける面と反対側の面における長手方向の２つの端部近傍に、弾性体により形成された足部材を設けたことを特徴とする。
【００２５】
この構成においては、表示パネル設置部材の表示パネルを取り付ける面と反対側の面における長手方向の２つの端部近傍に、弾性体により形成された足部材を設けている。したがって、係止点を増加させることなく、表示パネル設置部材のガタつきを抑制することが可能となり、基板が変形した際には弾性体である足部材が変形するので、表示パネルに変形が伝わることがなく、かつ、基板が変形しても表示パネル設置部材のガタつきを抑制することが可能となる。
を特徴とする。
【００３１】
(5) 前記表示パネルは、液晶パネルであることを特徴とする。
【００３２】
この構成においては、表示パネルとして液晶パネルが用いられる。したがって、液晶パネルでは、わずかに歪んだだけでも、接点不良による表示滲みが発生するが、本発明の表示パネル設置部材を用いて液晶パネルを基板に設置することで、液晶パネルの表示品位を格段に向上させることが可能となる。
【００３３】
(6)(1)の構成において、前記表示パネルを画像形成装置の操作部に設置するとすることができる。
【００３４】
この構成においては、画像形成装置の操作部に表示パネルを表示パネル設置部材を用いて設置する。したがって、画像形成装置の表示パネルに歪みが発生するのを抑制できる。
【００３５】
(7) 基板に表示パネルを設置するための表示パネル設置方法において、
表示パネルを表示パネル設置部材に固定し、該表示パネル設置部材の長手方向における略中央部にのみ設けた係止部材で、該表示パネルとともに該表示パネル設置部材を該基板に係止することを特徴とする。
【００３６】
この構成においては、表示パネルを表示パネル設置部材に固定して、表示パネル設置部材の長手方向における略中央部にのみ設けた係止部材で、表示パネルとともに該表示パネル設置部材を基板に係止する。したがって、表示パネルを設置する装置などから発生する熱や経時変化などによって基板が変形して係止点間距離が変動しても、表示パネル設置部材及び表示パネルは、長手方向に歪むことがなく、表示パネルの表示品位が劣化するのを抑制することが可能となる。
【００３７】
【発明の実施の形態】
本発明の第１実施形態に係る表示パネル設置部材について図１〜４に基づいて説明する。図１は、本発明におけるＬＣＤユニット４０の構成を示す斜視図である。図２（Ａ）は、本発明におけるＬＣＤユニット４０の構成を示す側面透視図である。同図（Ｂ）は、基板４２が変形した際の本発明におけるＬＣＤユニット４０の状態を示す側面透視図である。また、図３（Ａ）は、ＬＣＤユニット４０の断面図であり、同図（Ｂ）は、基板４２が変形した際の各部の状態を示す側面図である。なお、ＬＣＤユニット４０において、図７に示した従来の構成と同一な部分には、同一符号を付して詳細な説明を省略する。
【００３８】
図１に示すように、ＬＣＤユニット４０は、従来の構成と同じく、表示パネルであるＬＣＤ４１、両面テープなどの粘着材４７、表示パネル設置部材であるＬＣＤスペーサ４３及び専用の基板４２から構成される。そして、ＬＣＤユニット４０を図６に示した複写機１の表示パネル部３８に取り付けるものである。
【００３９】
第１実施形態においては、従来の構成と基板４２及びＬＣＤスペーサ４３の構成が異なる。即ち、本実施形態のＬＣＤスペーサ４３は、ＬＣＤスペーサ４３の長手方向における略中央部において、ＬＣＤ４１の短手方向の幅より短い間隔で、設置部材４５ｄ・４５ｅを備えている。本実施形態では、ＬＣＤスペーサ４３の面４３ａの略中央部に切り込みを入れて、設置部材４５ｄと設置部材４５ｅとの間隔を約２０ｍｍとした。
【００４０】
設置部材４５ｄ・４５ｅの形状は、従来と同様であり、先端部に固定爪４４ｄ・４４ｅを備え、固定爪４４ｄ・４４ｅの設置部材における根元側に切欠き４８ｄ・４８ｅを備えている。また、ＬＣＤスペーサ４３の短手方向の辺である２つの周縁部４３ｂにおける略中央部に足部材４６ａ・４６ｂを備えている。この足部材４６ａ・４６ｂは、ＬＣＤスペーサ４３の面４３ａに対して略垂直方向に延出しており、その先端部近傍において、さらに突起部４９ａ・４９ｂを備えている。さらに、第１実施形態に係る基板４２は、設置部材４５ｄ・４５ｅ、足部材４６ａ・４６ｂの先端がそれぞれ対向する位置に、挿入孔４２ｄ〜４２ｇを備えている。
【００４１】
ＬＣＤスペーサ４３を基板４２に固定する際には、基板４２の挿入孔４２ｄ〜４２ｇに設置部材４５ｄ・４５ｅと、足部材４６ａ・４６ｂの突起部４９ａ・４９ｂをそれぞれ挿入する。そして、固定爪４４ｄ・４４ｅを所定の角度に折り曲げる。これにより、ＬＣＤスペーサ４３と基板４２との間に所定の間隙をおいて、ＬＣＤスペーサ及びＬＣＤ４１を基板４２に堅固に係止することができる。なお、設置部材４５ｄ・４５ｅ及び足部材４６ａ・４６ｂは、Ｔ字型の形状であり、各設置部材及び足部材を挿入孔４２ｄ〜４２ｇに挿入した際は、基板４２とＬＣＤスペーサ４３との間に所定の間隙が形成される。
【００４２】
図２（Ａ）に示すように、足部材４６ａ・４６ｂの突起部４９ａ・４９ｂを基板４２の挿入孔４２ｆ・４２ｇに挿入しておくことで、基板４２上でのＬＣＤスペーサ４３のガタつきを抑え、基板４２との係止点を増加させることなく、ＬＣＤスペーサ４３が傾斜するのを防止することができる。
【００４３】
また、設置部材４５の数が２つだけとし、かつ設置部材４５ｄ・４５ｅ間の距離をＬＣＤ４１の短手方向の長さ以下とすることで、図２（Ｂ）に示したように、基板４２が変形しても係止点間距離は、ほとんど変動することがない。さらに、足部材４６ａ・４６ｂの突起部４９ａ・４９ｂは、挿入孔４２ｆ・４２ｇに挿入しているだけである。そのため、基板４２が変形した際には、挿入孔４２ｆ・４２ｇから突起部４９ａ・４９ｂが抜けるようになる。したがって、基板４２の変形がＬＣＤスペーサ４３を介してＬＣＤ４１には伝達しないので、ＬＣＤ４１の歪みによる滲み不良の発生を防止できる。
【００４４】
次に、第１実施形態に係る表示パネル設置部材であるＬＣＤスペーサの別の実施形態を、図３に基づいて説明する。図３（Ａ）は表示パネル設置部材の別の実施形態を示すＬＣＤユニット４０の展開図であり、同図（Ｂ）は、ＬＣＤユニット４０の側面透視図である。
【００４５】
図３に示したＬＣＤスペーサ５３においては、図１に示したＬＣＤスペーサ４３の足部材４６ａ・４６ｂの代わりに、突起部が無く基板５２にＬＣＤスペーサ５３を係止した際に、先端部が基板５２の表面に当接する足部材５６ｃ・５６ｄを設ける。この足部材５６ｃ・５６ｄは、ＬＣＤスペーサ５３の短手方向の辺である２つの周縁部５３ｂにおける略中央部に設ける。また、基板５２には、設置部材５５ｄ・５５ｅの先端が対向する位置に、挿入孔５２ｄ・５２ｅのみを設ける。
【００４６】
図３（Ｂ）に示したように、ＬＣＤスペーサ５３を基板５２に係止した際には、上記のように、足部材５６ｃ・５６ｄが基板５２の表面に当接するので、基板５２上でのＬＣＤスペーサ５３のガタつきを抑え、基板５２との係止点を増加させることなく、ＬＣＤスペーサ５３が傾斜するのを防止することができる。
【００４７】
また、足部材５６ｃ・５６ｄは、基板５２に当接しているだけである。そのため、基板５２が変形した際には、足部材５６ｃ・５６ｄは、基板５２から離れた状態になる。したがって、基板５２の変形がＬＣＤスペーサ５３を介してＬＣＤ４１には伝達しないので、ＬＣＤ４１の歪みによる滲み不良の発生を防止できる。
【００４８】
次に、第１実施形態に係る表示パネル設置部材であるＬＣＤスペーサのさらに別の実施形態を、図４に基づいて説明する。図４（Ａ）は表示パネル設置部材の別の実施形態を示すＬＣＤユニット６０の展開図であり、同図（Ｂ）は、ＬＣＤユニット６０の側面透視図である。
【００４９】
図４に示したＬＣＤスペーサ６３においては、図３に示したＬＣＤスペーサ５３のように足部材５６ｃ・５６ｄをＬＣＤスペーサ５３の短手方向の辺である２つの周縁部５３ｂにおける略中央部に設けずに、ウレタンやシリコンなどを材質とするスポンジやゴムなどの弾性体の足部材６０ａ・６０ｂを、ＬＣＤスペーサ６３の面６３ａと反対側の面６３ｄにおける２つの周縁部６３ｂ近傍に固着する。
【００５０】
ＬＣＤスペーサ６３を基板５２に係止する際には、基板５２の挿入孔５２ｄ〜５２ｅに設置部材６５ｄ・６５ｅをそれぞれ挿入する。そして、固定爪６４ｄ・６４ｅを所定の角度に折り曲げる。これにより、ＬＣＤスペーサ６３及びＬＣＤ４１を基板５２に堅固に係止することができる。
【００５１】
また、この際に、足部材６０ａ・６０ｂは、基板５２とＬＣＤスペーサ６３との間に挟持される。これにより図４（Ｂ）に示すように、足部材６０ａ・６０ｂによって基板５２上でのＬＣＤスペーサ６３のガタつきを抑え、基板５２との係止点を増加させることなく、ＬＣＤスペーサ６３が傾斜するのを防止できる。
【００５２】
なお、足部材６０ａ・６０ｂは所定の圧接力を加えて変形させた後に、基板５２とＬＣＤスペーサ６３との間に挟持してもよい。これによって、基板５２が変形しても、足部材６０ａ・６０ｂが膨張するため、ＬＣＤスペーサ６３が傾くことはない。
【００５３】
但し、足部材６０ａ・６０ｂは、基板５２とＬＣＤスペーサ６３との間に挟持された際に、基板５２及びＬＣＤスペーサ６３を変形させない弾性力及び厚さを備えている必要がある。
【００５４】
図５は、設置部材を１つだけ設けたＬＣＤスペーサの形状を示す図である。本実施の形態では、ＬＣＤスペーサ４３、５３、６３に設けた設置部材の数は２つとしている。しかしながら、設置部材の数は２つに限らない。例えば、図５に示すように、ＬＣＤスペーサ７３に設置部材７５を１つだけ設けて、他の実施形態と同様にＬＣＤユニットを構成してもよい。
【００５５】
この構成では、１つの固定爪７４によってＬＣＤスペーサ７３を基板に係止するため、係止点間距離は存在しない。また、ＬＣＤスペーサ７３の長手方向の端部近傍に設けた足部材７６ａ・７６ｂによって、ＬＣＤスペーサ７３が傾斜するのを防止することができる。したがって、ＬＣＤスペーサ７３を取り付けた図外の基板が変形しても、ＬＣＤスペーサ７３及びＬＣＤ４１に歪みが生じない。これにより、この構成では、図外の基板の変形に伴うＬＣＤスペーサ７３及びＬＣＤ４１の歪みを解消することが可能となる。従って、ＬＣＤ４１における表示品位の劣化を抑制できる。
【００５６】
なお、本実施形態に示したＬＣＤユニットを構成する基板を、図６に示した操作部３７の基板と一体化させてもよい。
【００５７】
また、本実施の形態では、複写機１の表示パネルとして、ＬＣＤ４１を用いているが、これに限らず、複写機１の表示パネルとして、液晶ディスプレイ以外のディスプレイ、例えば、プラズマディスプレイなどを用いる構成であっても、本発明は適用できる。
【００５８】
また、本実施形態では、表示パネル設置部材を使用した表示パネルを図６に示した画像形成装置である複写機１に適用した場合の説明を行ったが、これに限らず、本発明の表示パネル設置部材であるＬＣＤスペーサは、ファクシミリ、プリンタ等の画像形成装置に限らず、例えば携帯端末や洗濯機の表示部など、表示パネルを用いる装置に適用可能である。
【００５９】
【発明の効果】
本発明によれば、以下の効果が得られる。
【００６０】
(1) 従来は表示パネル設置部材の各周縁部に３つ以上の係止部材を設け、これらの係止部材によって表示パネル設置部材及び表示パネルを基板に固定するようになっており、基板の変形によって係止部材間の距離である係止点間距離が、特に表示パネル設置部材の長手方向に大きく変動してしまうため、表示パネル設置部材及び表示パネルの歪みが引き起こされていたが、表示パネルを基板に設置するために、表示パネル設置部材の長手方向における略中央部にのみ係止部材を備えているので、基板の変形によって係止点間距離が変動しても、表示パネル設置部材及び表示パネルは、長手方向に歪むことがなく、表示パネルの表示品位が劣化するのを抑制することができる。
【００６１】
(2) 複数の係止部材を表示パネルの短手方向における長さ以下の間隔をあけて、表示パネル設置部材に設けているので、係止点間距離を予め小さく設定しているので、基板が変形しても係止点間距離の変化量が小さいため、基板の変形が表示パネルに伝達して表示パネルに歪みが発生するのを抑えることができる。
【００６３】
(3) 表示パネル設置部材の略中央部に１つの係止部材を設けたことにより、基板に変形が生じても、変化にかかる係止点間距離が存在しないため、表示パネル設置部材及び表示パネルに歪みが発生せず、良好に表示させることができる。
【００６４】
(4) 表示パネル設置部材の表示パネルを取り付ける面と反対側の面における長手方向の２つの端部近傍に、弾性体により形成された足部材を設けているため、係止点を増加させることなく、表示パネル設置部材のガタつきを抑制することができ、基板が変形した際には弾性体である足部材が変形するので、表示パネルに変形が伝わることがなく、かつ、基板が変形しても表示パネル設置部材のガタつきを抑制することができる。
【００６６】
(5) 表示パネルとして液晶パネルを用いることにより、液晶パネルでは、わずかに歪んだだけでも、接点不良による表示滲みが発生するが、本発明の表示パネル設置部材を用いて液晶パネルを基板に設置することで、液晶パネルの表示品位を格段に向上させることができる。
【００６７】
(6) 表示パネルを表示パネル設置部材に固定して、表示パネル設置部材の長手方向における略中央部にのみ設けた係止部材で、表示パネルとともに該表示パネル設置部材を基板に係止するので、表示パネルを設置する装置などから発生する熱や経時変化などによって基板が変形して係止点間距離が変動しても、表示パネル設置部材及び表示パネルは、長手方向に歪むことがなく、表示パネルの表示品位が劣化するのを抑制できる。
【図面の簡単な説明】
【図１】本発明におけるＬＣＤユニットの構成を示す斜視図である。
【図２】（Ａ）は、本発明におけるＬＣＤユニットの構成を示す側面透視図、（Ｂ）は、基板が変形した際の本発明におけるＬＣＤユニットの状態を示す側面透視図である。
【図３】（Ａ）は、ＬＣＤユニットの断面図、（Ｂ）は、基板が変形した際の各部の状態を示す側面図である。
【図４】（Ａ）は表示パネル設置部材の別の実施形態を示すＬＣＤユニットの展開図、（Ｂ）は、ＬＣＤユニットの側面透視図である。
【図５】設置部材を１つ備えたＬＣＤスペーサの形状を示す外観図である。
【図６】画像形成装置である複写機の外観を示す斜視図である。
【図７】従来のＬＣＤユニットの構成の一例を示す展開図である。
【図８】（Ａ）は、ＬＣＤユニットの側面透視図、（Ｂ）は、基板が変形した際の状態を示すＬＣＤユニットの側面透視図、（Ｃ）は、ＬＣＤの滲みの発生箇所を示す斜視図である。
【図９】ＬＣＤユニットにおいて基板が変形した際の状態を示す斜視図である。
【符号の説明】
４１−ＬＣＤ
４２、８２−基板
４３、８３−ＬＣＤスペーサ
４４、８４−固定爪
４５、８５−設置部材
【図１】
0003708782.tif 000002
【図２】
0003708782.tif 000003
【図３】
0003708782.tif 000004
【図４】
0003708782.tif 000005
【図５】
0003708782.tif 000006
【図６】
0003708782.tif 000007
【図７】
0003708782.tif 000008
【図８】
0003708782.tif 000009
【図９】
0003708782.tif 000010